(57)【要約】【課題】ユーザーの利便性を向上することができる表示制御装置を提供する。【解決手段】表示制御装置１３は、第一のウィンドウ、および第一のウィンドウと異なる第二のウィンドウを同じ表示画面１７上に開いて表示するよう制御する。表示制御装置１３は、判断部２１と、表示制御部２２とを備える。判断部２１は、第一のウィンドウ全てに第二のウィンドウが重なっているか否かを判断する。表示制御部２２は、判断部２１により、第一のウィンドウ全てに第二のウィンドウが重なっていると判断されれば、所定の操作により第一のウィンドウを表示させる第一のウィンドウ表示アイコンを表示画面１７上に表示させるよう制御する。【選択図】図１
2017157054.tif 000002
【特許請求の範囲】
【請求項１】
第一のウィンドウおよび前記第一のウィンドウと異なる第二のウィンドウを同じ表示画面上に開いて表示するよう制御する表示制御装置であって、
前記第一のウィンドウ全てに前記第二のウィンドウが重なっているか否かを判断する判断部と、
前記判断部により、前記第一のウィンドウ全てに前記第二のウィンドウが重なっていると判断されれば、所定の操作により前記第一のウィンドウを表示させる第一のウィンドウ表示アイコンを前記表示画面上に表示させるよう制御する表示制御部とを備える、表示制御装置。
【請求項２】
前記表示制御部は、前記第二のウィンドウの側部に前記第一のウィンドウ表示アイコンを表示するよう制御する、請求項１に記載の表示制御装置。
【請求項３】
前記判断部により、前記第一のウィンドウ全てに前記第二のウィンドウが重なっていると判断されれば、前記第二のウィンドウが前記表示画面に全画面表示されているか否かを判定する判定部をさらに備え、
前記表示制御部は、前記判定部により前記第二のウィンドウが前記表示画面に全画面表示されていると判定されれば、前記第二のウィンドウ上に前記第一のウィンドウ表示アイコンを表示するよう制御する、請求項１に記載の表示制御装置。
【発明の詳細な説明】
【技術分野】
【０００１】
この発明は、表示制御装置に関するものである。
【背景技術】
【０００２】
コンピューターに接続され、ユーザーとのインターフェースとなるディスプレイは、コンピューター側から発信される情報やユーザーの入力内容を表示する。ここで、ディスプレイの表示画面には、所定の操作、例えば、クリックによりアプリケーションを立ち上げたり、ファイルやフォルダを開けたりするアイコンやツールバーが表示されている。アイコンをクリックすると、ウィンドウを開いて表示して、アプリケーションが立ち上がったり、ファイルやフォルダが開いたりする。
【０００３】
ここで、複数のウィンドウが開けられた際の表示に関する技術が、特開平６−２０２８３９号公報（特許文献１）、特開平１０−６９３６４号公報（特許文献２）、特開平５−１７３７４３号公報（特許文献３）、および特開平５−６６９１０号公報（特許文献４）に開示されている。
【０００４】
特許文献１に開示の画像表示方法は、画面上に一時に表示するウィンドウの最大個数を設定する個数設定工程と、現在画面上に表示されているウィンドウ数と個数設定工程により設定された数との大小関係を判定する個数判定工程と、ウィンドウが他のウィンドウにより覆われる面積の最大の割合を設定する割合設定工程と、画面上に表示されているウィンドウが他のウィンドウに覆われている面積の割合と割合設定工程により設定された割合との大小関係を判定する割合判定工程と、画面上に表示されるウィンドウのプライオリティを設定する工程と、個数判定工程による判定結果と割合判定工程による判定結果とプライオリティに基づき、ウィンドウをアイコンとして表示するアイコン表示工程とを備えることとしている。
【０００５】
特許文献２に開示のウィンドウ画面選択方式によると、各ウィンドウ画面のアイコンを共通に表示する領域を表示装置上に設け、領域に表示されたアイコン上にマウスカーソルを移動すると自動的に各ウィンドウ画面のアイコンが順次切り替わって表示され、マウスのクリックにより画面を選択することを特徴としている。
【０００６】
特許文献３に開示の計算機装置は、複数のウィンドウを重ねて表示する際、ウィンドウの重なりあった部分を上部にあるウィンドウによって覆い隠して表示する第一の表示制御手段と、ウィンドウの重なり合った部分において重なった上下のウィンドウを混合して表示する第二の表示制御手段と、表示装置が第一の表示制御手段によって制御されている際に制御を第二の表示制御手段に切り替える手段を備えることとしている。
【０００７】
特許文献４に開示のウィンドウ選択方法によると、重なり合った各ウィンドウの表示位置および各ウィンドウの大きさを各ウィンドウが重なりを生じない位置および大きさにして表示させる命令を設けたことを特徴としている。
【先行技術文献】
【特許文献】
【０００８】
【特許文献１】特開平６−２０２８３９号公報
【特許文献２】特開平１０−６９３６４号公報
【特許文献３】特開平５−１７３７４３号公報
【特許文献４】特開平５−６６９１０号公報
【発明の概要】
【発明が解決しようとする課題】
【０００９】
表示画面に表示されたアイコンをクリックすると、作業領域となるウィンドウが開いて表示され、アプリケーションを立ち上げたり、ファイルやフォルダを開けることができる。複数のアイコンをクリックすると、複数のウィンドウが表示されることになる。このように複数のウィンドウを表示させてユーザーが作業を行うことは、一般的に広く用いられている手法である。
【００１０】
ここで、複数のウィンドウを開けて表示させた際に、第一のウィンドウ全てを覆うようにして、第二のウィンドウを開けて表示させる場合がある。このような場合、表示された領域を全て完全に覆われた第一のウィンドウについては、全く表示画面上に表示されず、ユーザーに見えないこととなる。
【００１１】
このような場合、ユーザーは、第一のウィンドウを見たければ、上側に位置する第二のウィンドウの位置を移動させるか、第二のウィンドウを閉じたり、最小化したりする必要がある。このような操作は、ユーザーにとって煩わしい場合もあり、できるだけ避けたいものである。すなわち、ユーザーの利便性の向上の観点から、上側に位置する第二のウィンドウの移動等を伴わずに、下側に位置する第一のウィンドウの存在を認識させるようにできることが好ましい。
【００１２】
特許文献１に開示の技術では、個数判定工程による判定結果と割合判定工程による判定結果とプライオリティに基づき、ウィンドウをアイコンとして表示することとしている。しかし、このような構成では、アイコンとされたウィンドウの内容を見ることができないこととなる。また、特許文献２に開示の技術では、マウスカーソルを移動させれば自動的に各ウィンドウ画面のアイコンが順次切り替わる構成であるため、ウィンドウを開けて作業を行う際に不便を感じるおそれがある。特許文献３に開示の技術では、重なり合った部分の上下のウィンドウを混合することとしているが、画像の処理が複雑化するおそれがあり、また、ユーザーの所望した画像となるおそれがある。特許文献４に開示の技術では、ユーザーの要求するウィンドウの大きさを確保することができないおそれがある。
【００１３】
この発明の目的は、ユーザーの利便性を向上することができる表示制御装置を提供することである。
【課題を解決するための手段】
【００１４】
この発明の表示制御装置は、第一のウィンドウ、および第一のウィンドウと異なる第二のウィンドウを同じ表示画面上に開いて表示するよう制御する。表示制御装置は、判断部と、表示制御部とを備える。判断部は、第一のウィンドウ全てに第二のウィンドウが重なっているか否かを判断する。表示制御部は、判断部により、第一のウィンドウ全てに第二のウィンドウが重なっていると判断されれば、所定の操作により第一のウィンドウを表示させる第一のウィンドウ表示アイコンを表示画面上に表示させるよう制御する。
【発明の効果】
【００１５】
このような表示制御装置によると、第一のウィンドウ表示アイコンに所定の操作を行えば、全ての領域が第二のウィンドウによって覆われた第一のウィンドウが表示される。そうすると、上側に位置する第二のウィンドウに対して、移動等を行わずに、第一のウィンドウを視認可能な状態とすることができる。また、第一のウィンドウ表示アイコンが表示画面上に表示されているため、第一のウィンドウが見えない状態であっても、第一のウィンドウが開いている状態にあることを認識することができる。したがって、このような表示制御装置は、ユーザーの利便性を向上することができる。
【図面の簡単な説明】
【００１６】
【図１】この発明の一実施形態に係る表示制御装置を含む表示システムの構成を示すブロック図である。
【図２】図１に示す表示制御装置を含むコンピューターの外観を示す図である。
【図３】表示画面の一例を示す図である。
【図４】この発明の他の実施形態に係る表示制御装置を含む表示システムにおける表示画面の一例を示す図である。
【図５】図４に示す表示画面において、アイコンをクリックした状態を示す図である。
【図６】この発明の他の実施形態に係る表示制御装置を含む表示システムにおける表示画面の一例を示す図である。
【図７】この発明に係る表示制御装置を含む携帯端末装置の構成を示すブロック図である。
【発明を実施するための形態】
【００１７】
以下、この発明の実施の形態について説明する。図１は、この発明の一実施形態に係る表示制御装置を含む表示システムの構成を示すブロック図である。図２は、図１に示す表示制御装置を含むコンピューターの外観を示す図である。
【００１８】
図１および図２を参照して、表示システム１１は、表示制御装置１３を含むコンピューター１２と、表示画面１７を含むディスプレイ１４と、キーボード１５と、マウス１６とを備える。コンピューター１２は、ディスプレイ１４、キーボード１５、およびマウス１６のそれぞれと接続されている。
【００１９】
コンピューター１２は、コンピューター１２自身を制御するコンピューター制御部１８と、データを格納するハードディスク１９とを備える。ハードディスク１９には、種々のアプリケーションがインストールされている。また、ハードディスク１９には、種々のファイルのデータが格納されている。ディスプレイ１４は、コンピューター１２における情報の表示に際して、ユーザーへの出力のインターフェースとなる。すなわち、ディスプレイ１４の表示画面１７において、コンピューター１２における種々の情報を表示すると共に、ユーザーによる入力内容等を表示する。具体的には、表示画面１７には、所定の操作、例えば、クリックにより、アプリケーションを立ち上げたり、ファイルやフォルダを開けたりするアイコンやツールバー等が表示されている。なお、所定の操作としては、ユーザーとのインターフェースにタッチパネルを用いる場合、タッチパネルによるタッチ操作が含まれる。例えば、画像を形成する複合機において、インターフェースとして操作内容を入力させるタッチパネルが備えられる場合、所定の操作として、このタッチパネルにおけるアイコンやメニューへのタッチ操作が含まれる。
【００２０】
キーボード１５およびマウス１６は、ユーザーからコンピューター１２に対する入力のインターフェースとなる。すなわち、ユーザーは、ディスプレイ１４の表示画面１７に表示される内容を見て、キーボード１５およびマウス１６を用いて、コンピューター１２への動作の実行の命令の入力や数値データの入力等の操作を行う。
【００２１】
表示画面１７による表示を制御する表示制御装置１３は、コンピューター１２に備えられている。表示制御装置１３は、第一のウィンドウ、および第一のウィンドウと異なる第二のウィンドウを同じ表示画面１７上に開いて表示するよう制御する。
【００２２】
ここで、表示制御装置１３は、判断部２１と、表示制御部２２とを備える。判断部２１は、第一のウィンドウ全てに第二のウィンドウが重なっているか否かを判断する。表示制御部２２は、判断部２１により、第一のウィンドウ全てに第二のウィンドウが重なっていると判断されれば、所定の操作、例えば、クリックにより第一のウィンドウを表示させる第一のウィンドウ表示アイコンを表示画面１７上に表示させるよう制御する。
【００２３】
図３は、第一のウィンドウ全ての上側に第二のウィンドウが重なった状態の表示画面１７の一例を示す図である。図３を参照して、同じ表示画面１７上において、第一のウィンドウ２３ａと、第二のウィンドウ２３ｂとが開けられている。第一のウィンドウ２３ａの全ては、第二のウィンドウ２３ｂの下側に位置している。すなわち、点線で示す第一のウィンドウ２３ａに表示された「Ｙ」という文字２４ａについては、全く見えなくなっている。なお、第二のウィンドウ２３ｂに表示された「Ｘ」という文字２４ｂについては、視認可能である。
【００２４】
図４は、この発明の一実施形態に係る表示制御装置１３を含む表示システムにおける表示画面１７の一例を示す図である。図４を参照して、同じ表示画面１７において、第一のウィンドウ２３ａと、第二のウィンドウ２３ｂとが表示されている。ここで、判断部２１は、第一のウィンドウ２３ａ全ての上側に第二のウィンドウ２３ｂが重なっているか否かを判断する。
【００２５】
表示制御部２２は、判断部２１により、第一のウィンドウ２３ａ全てに第二のウィンドウ２３ｂが重なっていると判断されれば、クリックにより第一のウィンドウ２３ａを表示させる第一のウィンドウ表示アイコン２５を表示画面１７上に表示させるよう制御する。
【００２６】
具体的には、表示制御部２２は、第二のウィンドウ２３ｂの側部に第一のウィンドウ表示アイコン２５を表示するよう制御する。第一のウィンドウ表示アイコン２５は、中央に「Ｙ」の文字が付されたものとしている。
【００２７】
第一のウィンドウ表示アイコン２５をクリックすると、図５に示すように、第一のウィンドウ２３ａが表示されることとなる。この場合、第一のウィンドウ２３ａが開けられていた元の位置において、第二のウィンドウ２３ｂの上側に重ねて第一のウィンドウ２３ａが表示される。
【００２８】
このような構成の表示制御装置１３によれば、第一のウィンドウ表示アイコン２５をクリックすれば、全ての領域が第二のウィンドウ２３ｂによって覆われた第一のウィンドウ２３ａが表示される。そうすると、上側に位置する第二のウィンドウ２３ｂに対して、移動等を行わずに、第一のウィンドウ２３ａを視認可能な状態とすることができる。また、第一のウィンドウ表示アイコン２５が表示画面１７上に表示されているため、第一のウィンドウ２３ａが見えない状態であっても、第一のウィンドウ２３ａが開いている状態にあることを認識することができる。したがって、このような表示制御装置１３は、ユーザーの利便性を向上することができる。
【００２９】
この場合、表示制御部２２は、第二のウィンドウ２３ｂの側部に第一のウィンドウ表示アイコン２５を表示するよう制御しているため、第一のウィンドウ表示アイコン２５が表示されている位置を容易に把握することができる。
【００３０】
また、上記の実施の形態においては、第二のウィンドウ２３ｂの側部に第一のウィンドウ表示アイコン２５を表示するよう制御することとしたが、これに限らず、他の領域、例えば、第二のウィンドウ２３ｂの下部や上部といった第二のウィンドウ２３ｂが表示されていない他の領域に第一のウィンドウ表示アイコン２５を表示するよう制御することとしてもよい。
【００３１】
また、表示制御装置１３は、判断部２１により、第一のウィンドウ２３ａ全てに第二のウィンドウ２３ｂが重なっていると判断されれば、第二のウィンドウ２３ｂが表示画面１７に全画面表示されているか否かを判定する判定部をさらに備える構成としてもよい。表示制御部２２は、判定部により第二のウィンドウ２３ｂが表示画面１７に全画面表示されていると判定されれば、第二のウィンドウ２３ｂ上に第一のウィンドウ表示アイコン２５を表示するよう制御するよう構成してもよい。
【００３２】
図６は、この発明の他の実施形態に係る表示制御装置１３を含む表示システムにおける表示画面１７の一例を示す図である。図６を参照して、表示画面１７には、第一のウィンドウ２６ａと、第二のウィンドウ２６ｂとが開かれて表示されている。第一のウィンドウ２６ａ全ての上に第二のウィンドウ２６ｂが重なって表示されている。第一のウィンドウ２６ａの全ては、第二のウィンドウ２６ｂの下側に位置している。すなわち、点線で示す第一のウィンドウ２６ａに表示された「Ｙ」という文字２７ａについては、全く見えなくなっている。なお、第二のウィンドウ２６ｂに表示された「Ｘ」という文字２７ｂについては、視認可能である。
【００３３】
ここで、判定部により、第二のウィンドウ２３ｂが表示画面１７に全画面表示されているか否かを判定する。図６に示すように、第二のウィンドウ２３ｂが表示画面１７に全画面表示されていると判定されれば、第二のウィンドウ２６ｂ上に第一のウィンドウ表示アイコン２８を表示するよう制御する。この場合、第二のウィンドウ２３ｂのうち、左下の隅部辺りに、第一のウィンドウ表示アイコン２８が表示されるよう制御されている。
【００３４】
このように構成することにより、第二のウィンドウ２６ｂが全画面表示されている場合であっても、ユーザーの利便性を向上することができる。
【００３５】
なお、このような表示制御装置１３は、コンピューター１２に接続されたディスプレイ１４の表示画面１７のみに限らず、例えば、スマートフォン等の携帯端末装置の表示を制御する際にも利用される。なお、この場合の所定の操作は、タッチパネルとして機能するスマートフォンの表示画面におけるアイコンへのタッチ操作である。
【００３６】
図７は、この発明に係る表示制御装置を含む携帯端末装置の構成を示すブロック図である。図７を参照して、携帯端末装置３１は、携帯端末装置制御部３２と、ハードディスク３３と、表示画面３４と、表示制御装置３５とを備える。携帯端末装置制御部３２は、携帯端末装置３１自身を制御する。ハードディスク３３は、データを格納する。表示画面３４は、情報を表示する。表示画面３４には、アイコン等が表示される。
【００３７】
表示制御装置３５は、第一のウィンドウ、および第一のウィンドウと異なる第二のウィンドウを同じ表示画面上に開いて表示するよう制御する。表示制御装置３５は、判断部３６と、表示制御部３７とを備える。判断部３６は、第一のウィンドウ全てに第二のウィンドウが重なっているか否かを判断する。表示制御部３７は、判断部３６により、第一のウィンドウ全てに第二のウィンドウが重なっていると判断されれば、クリックにより第一のウィンドウを表示させる第一のウィンドウ表示アイコンを表示画面３４上に表示させるよう制御する。このような構成によっても、ユーザーの利便性を向上することができる。
【００３８】
今回開示された実施の形態および実施例はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００３９】
この発明に係る表示制御装置は、ユーザーの利便性の向上が要求される場合に、特に有効に利用される。
【符号の説明】
【００４０】
１１  表示システム、１２  コンピューター、１３，３５  表示制御装置、１４  ディスプレイ、１５  キーボード、１６  マウス、１７，３４  表示画面、１８  コンピューター制御部、１９，３３  ハードディスク、２１，３６  判断部、２２，３７  表示制御部、２３ａ，２３ｂ，２６ａ，２６ｂ  ウィンドウ、２４ａ，２４ｂ，２７ａ，２７ｂ  文字、２５，２８  第一のウィンドウ表示アイコン、３１  携帯端末装置、３２  携帯端末装置制御部。
【図１】
2017157054.tif 000003
【図２】
2017157054.tif 000004
【図３】
2017157054.tif 000005
【図４】
2017157054.tif 000006
【図５】
2017157054.tif 000007
【図６】
2017157054.tif 000008
【図７】
2017157054.tif 000009